(57)【要約】【課題】  簡単な構造でありながら、ポンプ圧に変動が生じたような場合でも空気室への圧力変動を抑制させることができる立軸ポンプの提供。【解決手段】  インペラ２の回転によるポンプ運転時に、空気室６内の圧縮された空気によってポンプ立軸６の軸封部５１をエアシールさせるようにした立軸ポンプにおいて、吸込口１４がポンプ室１０の上側に形成され、インペラの回転によってポンプ室の上側から下向きにポンプ室内にポンプ取扱液を吸い込むように形成されている。【選択図】  図１
2006329056.tif 000002
【特許請求の範囲】
【請求項１】
ポンプ立軸の下端に連結されたインペラがポンプケーシングのポンプ室内に設けられ、
このポンプ室には、ポンプ立軸の軸線上に開口した吸込口と、周壁接線方向に開口した吐出口が形成され、
前記ポンプ立軸の軸貫通空隙を介してポンプケーシングの内部に連通する空気室がポンプケーシングの上部に形成され、
前記インペラの回転によるポンプ運転時に、空気室内の圧縮された空気によってポンプ立軸の軸封部をエアシールさせるようにした立軸ポンプにおいて、
前記吸込口がポンプ室の上側に形成され、インペラの回転によってポンプ室の上側から下向きにポンプ室内にポンプ取扱液を吸い込むように形成されていることを特徴とした立軸ポンプ。
【発明の詳細な説明】
【技術分野】
【０００１】
本発明は、ポンプ立軸の軸封部や軸支部をエアシールさせるための空気室を備えた立軸ポンプに関する。
【背景技術】
【０００２】
スラリ含有液、結晶性液、高粘度溶液等をポンプ取扱液とした場合、このポンプ取扱液がメカニカルシールなどの軸封部やベアリングによる軸支部に侵入すると、その軸封部や軸支部に異常磨耗や特性劣化などが生じてしまう。
【０００３】
従来、ポンプ軸を立軸とした立軸ポンプにおいて、ポンプ立軸の軸貫通空隙を介してポンプケーシングの内部に連通するように空気室を形成し、この空気室内の空気によって軸封部や軸支部をエアシールさせるようにした立軸ポンプが知られている（特許文献１参照）。
【０００４】
上記の立軸ポンプは、図２に示すように、ポンプ立軸９０の下端に連結されたインペラ９１がポンプケーシング９２のポンプ室９３内に設けられ、このポンプ室９３には、ポンプ立軸９０の軸線上に開口した吸込口９４と、周壁接線方向に開口した吐出口９５が形成され、前記ポンプ立軸の軸貫通空隙９６を介してポンプケーシングの内部に連通する空気室９７がポンプケーシング９２の上面に形成され、前記インペラ９１の回転によるポンプ運転時に、空気室９７内の空気によってポンプ立軸９０の軸封部９８や軸支部をエアシールさせるように形成されている。
このように、空気室９７内の空気がエアシールとして機能するため、ポンプ取扱液が軸封部９８や軸支部に侵入するのを防止することができる。
【０００５】
しかしながら、従来の立軸ポンプは、吸込口９４がポンプ室９３の下側に形成され、インペラ９１の回転によってポンプ室９３の下側から上向きにポンプ室９３内にポンプ取扱液を吸い込むように形成されている。
【０００６】
このように、ポンプ室９３の下側から上向きにポンプ室９３内にポンプ取扱液を吸い込むように形成させると、そのポンプ取扱液の上向き流動方向（矢印Ｂ方向）の前方（上方）にポンプ立軸９０の軸貫通空隙９６が形成されているため、ポンプ取扱液の流動圧が軸貫通空隙９６を通して空気室９７内に加わった状態になる。
このような状態で、ポンプ圧に変動が生じたような場合、空気室９７への圧力が大きく変動し、特に、ポンプ圧が上昇した場合には、空気が圧縮されて空気溜まりが縮小し、エアシールとしての機能が無くなり、ポンプ立軸９０の軸封部９８や軸支部にポンプ取扱液が侵入してしまうといった問題が生じる。
このため従来では、外部から空気室９７に圧縮空気を送気させて圧力調節させる必要があり、装置が複雑になってしまうという問題があった。
【特許文献１】特開平７−３０５６９２号公報
【発明の開示】
【発明が解決しようとする課題】
【０００７】
本発明は、上記の問題を解決するためになされたもので、簡単な構造でありながら、ポンプ圧に変動が生じたような場合でも空気室への圧力変動を抑制させることができる立軸ポンプを提供することを課題としている。
【課題を解決するための手段】
【０００８】
上記の課題を解決するために、本発明の立軸ポンプは、
ポンプ立軸の下端に連結されたインペラがポンプケーシングのポンプ室内に設けられ、
このポンプ室には、ポンプ立軸の軸線上に開口した吸込口と、周壁接線方向に開口した吐出口が形成され、
前記ポンプ立軸の軸貫通空隙を介してポンプケーシングの内部に連通する空気室がポンプケーシングの上部に形成され、
前記インペラの回転によるポンプ運転時に、空気室内の圧縮された空気によってポンプ立軸の軸封部をエアシールさせるようにした立軸ポンプにおいて、
前記吸込口がポンプ室の上側に形成され、インペラの回転によってポンプ室の上側から下向きにポンプ室内にポンプ取扱液を吸い込むように形成されている。
【発明の効果】
【０００９】
本発明は、空気室がポンプケーシングの上部に形成され、この空気室がポンプ立軸の軸貫通空隙を介してポンプケーシングの内部に連通されている構成の立軸ポンプにおいて、吸込口がポンプ室の上側に形成され、インペラの回転によってポンプ室の上側から下向きにポンプ室内にポンプ取扱液を吸い込むように形成されている。
【００１０】
従って、ポンプ取扱液は、ポンプ室の上側から下向きに流動してポンプ室内に流入することから、ポンプ取扱液の下向き流動方向の後方（上方）にポンプ立軸の軸貫通空隙が形成されることになる。
これにより、ポンプ取扱液の流動圧が軸貫通空隙を通して空気室内に加わるのを抑制できる。
【００１１】
このように、本発明の立軸ポンプによれば、吸込口をポンプ室の上側に形成するといった簡単な構造でありながら、ポンプ圧に変動が生じたような場合でも空気室への圧力変動を抑制させることができ、エアシール機能を損なうことなく、ポンプ立軸の軸封部や軸支部にポンプ取扱液が侵入してしまうといったトラブルを防止できる。
【発明を実施するための最良の形態】
【００１２】
図１は本発明の立軸ポンプの実施例を示す要部の断面図である。
図において、１はポンプケーシングで、内部にポンプ室１０が形成された本体ケース１１と、この本体ケース１１の上面に連結されたポンプカバー１２とによって形成されている。
【００１３】
前記ポンプ室１０には本体ケース１１の周壁接線方向に開口して吐出口１３が形成されている。
この吐出口１３は本体ケース１１の周壁外周面から横向きに突設した吐出側流路１３ａに連通されている。
【００１４】
また、前記ポンプ室１０にはポンプカバー１２の中央部に開口して吸込口１４が形成されている。
この吸込口１４はポンプ室１０の上側に形成されるもので、ポンプカバー１２の上面を横向きに延長した吸込側流路１４ａに連通されている。
【００１５】
前記本体ケース１１のポンプ室１０内にはインペラ２が設けられている。
このインペラ２は、上端を図示省略した駆動モータに連結させたポンプ立軸３の下端に連結され、このインペラ２の回転により、ポンプ取扱液を前記吸込側流路１４ａからポンプ室１０の上側に形成した吸込口１４を経て下向きにポンプ室１０内に吸い込み、吐出口１３から吐出側流路１３ａを経て排出させるようになっている。
【００１６】
前記ポンプ立軸３は、前記ポンプカバー１２の中央部に形成した軸貫通孔１５を通してポンプケーシング１の内部に挿入されるもので、この場合、前記吸込口１４がポンプ立軸３の軸線上に開口するように形成されている。
又、前記ポンプ立軸３は、ポンプケーシング１の上面に連結した筒状ケーシング４の内部でベアリング５０により軸支されると共に、メカニカルシール等の軸封部５１によってシールされている。
【００１７】
そして、前記筒状ケーシング４の下端部において、ポンプケーシング１（ポンプカバー１２）の上面と前記筒状ケーシング４の内部に形成した仕切壁４１との空間に空気室６が形成され、この空気室６が前記ポンプ立軸３と軸貫通孔１５との間隙である軸貫通空隙Ｓを介してポンプケーシング１の内部に連通するように形成されている。
【００１８】
なお、前記空気室６内に配置されるように、複数枚（実施例では２枚）の整流板６１がポンプカバー１２の上面に取り付けられている。
このように、整流板６１を設けると、空気室６内のポンプ取扱液の動きを抑止するので、ポンプ運転時にポンプ立軸３が回転しても、それに伴うポンプ取扱液の撹乱を防止することができる。
【００１９】
従って、駆動モータによってインペラ２を回転させると、ポンプ取扱液は、吸込側流路１４ａを経てポンプ室１０の上側に形成した吸込口１４から下向きにポンプ室１０内に吸い込まれ、吐出口１３から吐出側流路１３ａを経て排出される。
このポンプ運転時において、空気室６内には軸貫通空隙Ｓを通してポンプ取扱液Ｗが流入することになるが、この空気室６内の圧縮された空気が室上部に溜まった状態になるため、その空気溜まりがエアシールとして機能し、ポンプ立軸３の軸封部５１や軸支部にポンプ取扱液Ｗが侵入するのを防止することができる。
【００２０】
このような立軸ポンプにおいて、ポンプ取扱液をポンプ室１０の上側から下向きにポンプ室１０内に吸い込むように形成しているため、ポンプ立軸３の軸貫通空隙Ｓがポンプ取扱液の下向き流動方向（矢印Ａ方向）の後方（上方）に形成されるもので、これにより、ポンプ取扱液の流動圧が軸貫通空隙Ｓを通して空気室６内に加わるのを抑制できる。
【００２１】
これにより、吸込口１４をポンプ室１０の上側に形成するといった簡単な構造でありながら、ポンプ圧に変動が生じたような場合でも空気室６への圧力変動を抑制させることができ、エアシール機能を損なうことなく、ポンプ立軸３の軸封部５１や軸支部にポンプ取扱液が侵入してしまうといったトラブルを防止することができる。
【図面の簡単な説明】
【００２２】
【図１】本発明の立軸ポンプの実施例を示す要部の断面図である。
【図２】従来の立軸ポンプを示す要部の断面図である。
【符号の説明】
【００２３】
１  ポンプケーシング
１０  ポンプ室
１１  本体ケース
１２  ポンプカバー
１３  吐出口
１３ａ  吐出側流路
１４  吸込口
１４ａ  吸込側流路
１５  軸貫通孔
２  インペラ
３  ポンプ立軸
４  筒状ケーシング
４１  仕切壁
５０  ベアリング
５１  軸封部
６  空気室
６１  整流板
Ｓ  軸貫通空隙
Ｗ  ポンプ取扱液
【図１】
2006329056.tif 000003
【図２】
2006329056.tif 000004